(57)【特許請求の範囲】
【請求項１】
ディーゼル燃料の間接的磁気処理方法において、
第１の容器を準備し、
第２の容器を準備し、
第３の容器を準備し、
ディーゼル燃料を準備して処理ユニットによって該ディーゼル燃料に一定の流束密度および幾何形状の直接的磁場または電磁場を印加して直接磁化されたディーゼル燃料を生成し、
前記直接磁化されたディーゼル燃料を前記第１の容器に貯留し、
前記第２の容器に磁化されていないディーゼル燃料を準備し、
前記直接磁化されたディーゼル燃料と前記磁化されていないディーゼル燃料とを混合し、混合したディーゼル燃料を前記第３の容器に貯留することを含む方法。
【請求項２】
直接磁化されたディーゼル燃料を生成するための前記処理ユニットが、コイルおよび制御型電流／電圧源を用いる電磁装置または永久磁石装置を含む請求項１に記載の方法。
【請求項３】
ディーゼル燃料が循環している間に、一定の流束密度および幾何形状の磁場または電磁場を前記処理ユニット内のディーゼル燃料に直接印加するようにした請求項１または２に記載の方法。
【請求項４】
前記直接磁化されたディーゼル燃料の生成プロセスが、
ディーゼル燃料を第１の容器内に充填する段階と、
ディーゼル燃料を処理ユニットへ供給し、処理ユニットから第１の容器に戻すように循環させることを含む請求項１〜３の何れか１項に記載の液体／気体の処理方法。
【請求項５】
混合段階は、
前記第３の容器の下部に前記直接磁化されたディーゼル燃料を配置する段階と、
前記直接磁化されたディーゼル燃料の上に磁化されていないディーゼル燃料を配置する段階とを含む請求項１〜４の何れか１項に記載の方法。
【請求項６】
混合段階は、
前記第３の容器の下部に磁化されていないディーゼル燃料を配置する段階と、
前記磁化されていないディーゼル燃料の上に前記直接磁化されたディーゼル燃料を配置する段階とを含む請求項１〜４の何れか１項に記載の方法。
【請求項７】
磁化されていないディーゼル燃料を磁化するための磁化剤または磁気処理剤として直接磁化されたディーゼル燃料を使用することを含む請求項１〜６の何れか１項に記載の方法。
【請求項８】
前記直接磁化されたディーゼル燃料をある用途で直ちに使用するか、または、特定の用途で後に使用するために短期間または長期間貯蔵するようにした請求項１〜７の何れか１項に記載の方法。
【請求項９】
混合したディーゼル燃料をある用途で直ちに使用するか、または、ある用途で後に使用するために短期間または長期間貯蔵するようにした請求項１〜８の何れか１項に記載の方法。
【発明の詳細な説明】
【技術分野】
【０００１】
本発明は、一般に、液体および／または気体の磁気処理の分野、より具体的には、主として、直接的に磁化された液体／気体（ある幾何形状および流束密度の直接的な磁場または電磁場を用いて処理された液体／気体）と磁化されていない通常の液体／気体との間で混合して、直接磁化液体／気体および非磁化常液体／気体よりも優れた性能を有する新しい混合または間接磁化液体／気体を得ることに基づく、液体や気体の間接的な磁気処理のための方法および装置に関する。
【背景技術】
【０００２】
磁気流体力学(MHD)(magnetofluidodynamicsまたはhydromagnetics)は、磁場の効果の下における導電性流体の動力学を研究する科学的専門分野である。ＭＨＤは、磁場を意味する「magneto」と、液体を意味する「hydro」と、運動または動作を意味する「dynamics」から導出されている。ＭＨＤの分野は、１９４２年にHannes Alfvenにより創始され、この業績により氏は１９７０年にノーベル物理学賞を受けている。
【０００３】
ＭＨＤの考え方は、移動する導電性流体内において磁場が電流を誘導することができ、これが磁場上に機械的力を作り出すと共に磁場自体が帯電する、というものである。ＭＨＤを説明する一組の方程式は、流体力学のおなじみのナビエ・ストークス方程式と電磁気力のマクスウェル方程式の組合せである。調査研究から、磁気流体力学的効果が、液体および気体の磁気的処理に関与していることがわかっている。
【０００４】
液体および気体の磁気処理のこれまでの利用分野は全て、さまざまな流束密度および可変的幾何形状の磁場または電磁場を、移動する液体または気体に対して直接印加することに焦点をあててきたが、この場合、液体または気体を処理するためには、その全てが全面的に磁場または電磁場内を直接通過しなければならない。直接的処理のこの一面は磁気処理の一般化を制限する隠れた障害となっている。と言うのは、直接的な磁気処理は、磁気処理装置を設置した初期段階においてのみ有効で、通常、後期には処理が有効でなくなるからである。
【発明の概要】
【発明が解決しようとする課題】
【０００５】
従って、本発明の目的は、液体および気体の直接的磁気処理の欠点を克服する液体および気体の間接的磁気処理のための方法および装置を提供することにある。
【課題を解決するための手段】
【０００６】
ここで提供されるのは、液体または気体の間接的磁気処理方法において、第１の液体または気体を提供する段階と、第１の液体または気体に対し一定の流束密度および幾何形状の直接的磁場または電磁場を印加して、直接磁化液体／気体を得る段階と、第２の非磁化常液体／気体を提供する段階と、第１の直接磁化液体／気体と第２の非磁化常液体／気体とを混合して、同様に処理されかつ第１の直接磁化液体／気体および第２の非磁化常液体／気体よりも有効な第３の混合または間接磁化液体／気体を得る段階とを含む方法である。
【０００７】
本発明では、第１の液体／気体は直接的磁気または電磁処理を受ける直接磁化液体／気体であり、一方第２の液体／気体は、いかなる直接的磁場または電磁場内も通過しない非磁化常液体／気体である。第３の混合または間接磁化液体／気体内では、第２の非磁化常液体／気体は第１の直接磁化液体／気体から間接的に処理されており、第３の混合または間接磁化液体／気体は全体が間接的に処理された状態となる。換言すると、第１の直接磁化液体／気体は、第２の非磁化常液体／気体を磁化するための磁化剤または磁気処理剤として役立つ。
【０００８】
本発明の意味合いにおいて、液体および／または気体に関して「直接磁化された」または「直接処理（された）」あるいは単に「処理された（済み）」という用語は、詳細には、液体および／または気体が、例えば前記それぞれの場を生成する装置またはユニットによって提供され得る一定の幾何形状および流束密度の直接的磁場または電磁場を用いてそれぞれ処理または磁化されることを意味する。さらに、液体および／または気体に関して「非磁化常」あるいは「通常」という用語はそれぞれ、詳細には、それぞれの液体および／または気体が磁化されていないかまたは任意の直接的磁場または電磁場内を通過していないまたは通過しなかったことを意味している。さらに、液体および／または気体に関して「混合（された）」または「間接的に磁化された（間接磁化）」という用語は詳細には、磁化剤または磁気処理剤として役立つ直接磁化液体／気体によって間接的に磁気処理された状態の液体および／または気体を意味する。その上、「間接的磁気液体／気体処理」という用語は、詳細には、常液体および／または気体がそれぞれ、（「直接的に磁化された（直接磁化）」液体および／または気体に関してそうであるように）直接的な磁場または電磁場を受けることなく、「直接的に磁化された（直接磁化）」液体および／または気体（と例えば混合されかつそのようにすること）によって磁化されることによって処理されるかまたは磁化されることを意味する。
【０００９】
好ましくは、第１の直接磁化液体／気体と第２の非磁化常液体／気体との間の混合段階は、既定の混合比に従って、実施され、ここで混合物の大部分は、第２の非磁化常液体／気体である。
【００１０】
好ましくは、直接磁化液体／気体を生産するために使用される処理ユニットは、コイルおよび制御型電流源を用いる電磁装置または永久磁石装置の何れかとすることができる。処理ユニット内の磁場または電磁場は、任意の幾何形状（ＢＸ、ＢＹ、ＢＺの所望の流束密度値に応じて一次元、２次元または３次元磁場）とすることができ、磁場の性質は、引力形態または斥力形態（永久磁石装置の場合）とすることができる。磁場と液体／気体流の方向の間の所定角度は、９０、０、１８０°などの任意の角度あるいは他の任意の所定角度とすることができる。
【００１１】
好ましくは、一定の流束密度および幾何形状の磁場または電磁場を処理ユニット内の直接磁化液体／気体に対して印加するプロセスは、液体／気体が循環状態にある間に実施される。
【００１２】
好ましくは、直接磁化液体／気体の生産プロセスは、第１に、非磁化常液体／気体を常流体の主供給タンクから処理容器内に充填する段階と、第２に、処理容器に戻るようにその流れを出力する処理ユニットを通した制御流の循環プロセスを実施する段階とで構成される「インライン前処理センサーおよび後処理センサー構成」を用いて達成可能である。この構成においては、（利用分野および流体に左右されるかもしれない）所定の一群のセンサーが処理ユニットの前後に設置され、それが、分析目的で処理ユニットの前後での直接磁化液体／気体の物理的および化学的数量の経時的変化を追跡するために、その感知データを制御ボックスに送る。
【００１３】
代替的には、直接磁化液体／気体の生産プロセスは同様に、第１に、非磁化常液体／気体を常流体の主供給タンクから処理容器内に充填する段階と、第２に、処理容器に戻るようにその流れを出力する処理ユニットを通した制御流の循環プロセスを実施する段階とで構成される「インタンクセンサー構成」を用いて達成することも可能である。この構成においては、（利用分野および液体に左右されるかもしれない）所定の一群のセンサーが処理ユニット内に設置され、それが、処理タンク内の液体／気体について直接磁化液体／気体の物理的および化学的数量の経時的変化を追跡するために、その感知データを制御ボックスに送る。
【００１４】
代替的には、直接磁化液体／気体の生産プロセスは、第１に、非磁化常液体／気体を常流体の主供給タンクから処理容器内に充填する段階と、第２に、処理容器が処理ユニットを通して第１の制御流を受入れると同時に処理容器から直接第２の制御流を受入れる、制御流の循環プロセスを実施する段階とで構成される「並流構成」を用いて達成することも可能である。
【００１５】
代替的には、直接磁化液体／気体の生産プロセスは同様に、第１に、非磁化常液体／気体を常流体の主供給タンクから常流体容器内に充填する段階と、第２に、処理ユニットを通して制御流を受け入れる第２の処理容器まで制御流を実施する段階とで構成される「単一サイクル構成」を用いて達成することも可能である。
【００１６】
好ましくは、混合プロセスは、第１に、混合容器の下部に第１の直接磁化液体／気体を置く段階と、第２に、第１の直接磁化液体／気体の上部に第２の非磁化常液体／気体を置く段階とで構成される下部構成を用いて達成可能である。このプロセスは、多数回繰返してもよい（代替的底層構成）。
【００１７】
代替的には、混合プロセスは、第１に、混合容器の下部に第２の非磁化常液体／気体を置く段階と、第２に、第２の非磁化常液体／気体の上部に第１の直接磁化液体／気体を置く段階とで構成される上層構成を用いて達成することも可能である。このプロセスは、多数回繰返してもよい（代替的上層構成）。
【００１８】
代替的には、混合プロセスは、第１の直接磁化液体／気体を受入れるための第１の容器を提供する段階と、第２の非磁化常液体／気体を受入れるための第２の容器を提供する段階と、第１の直接磁化液体／気体の第１の制御流と第２の非磁化常液体／気体の第２の制御流とを同時に受入れるための第１および第２の容器と連通している第３の混合または間接磁化液体／気体を受入れるための第３の容器を提供する段階とで構成される並流２タンク構成を用いて達成することも可能である。
【００１９】
代替的には、混合プロセスは、一定の流束密度および幾何形状の磁場または電磁場を第２の非磁化常液体／気体に印加して第１の直接磁化液体／気体を瞬時に生成するためのインライン磁気処理ユニットを提供する段階と、処理ユニットおよび混合または間接磁化液体／気体用の第２の容器と連通している非磁化常液体／気体用の第１の容器を提供する段階であって、ここで処理ユニットは第１の容器から、第２の非磁化常液体／気体の制御流を受入れ、第２の液体／気体に対して磁場または電磁場を印加し、第２の容器が、処理ユニットからの第１の直接磁化液体／気体の第１の制御流と同時に第１の容器からの第２の非磁化常液体の第２の制御流を受入れる段階とで構成される並流１タンク構成を用いて達成することも可能である。
【００２０】
代替的には、混合プロセスは、第２の非磁化常液体／気体を受入れるための第１の容器を提供する段階と、第１の直接磁化液体／気体を受入れるための第２のより小さい容器を提供する段階と、混合または間接磁化液体／気体を受入れるための第３の容器を提供する段階であって、ここで第２の小さい容器が第１の容器から第２の非磁化常液体／気体の制御流を受入れかつ、第１の直接磁化液体／気体および第２の非磁化常液体／気体を含む第３の容器に向かって混合または間接磁化液体／気体の流れを出力する段階とで構成される直列流１タンク構成を用いて達成することも可能である。
【００２１】
本発明のさらなる態様として、図１に示すインライン前処理センサーおよび後処理センサー構成、図２に示すインタンクセンサー構成、図３に示す並流構成、図４に示す単一サイクル構成を含む、直接磁化液体／気体を生産するための装置が提供される。
【００２２】
本発明のさらなる態様として、図５に示す下部構成、図６に示す代替的下部構成、図７に示す上層構成、図８に示す代替的上層構成、図９に示す並流２タンク構成、図１０に示す並流１タンク構成、図１１に示す直列流１タンク構成を含む、混合プロセスのための装置が提供される。
【００２３】
本発明の別の態様として、第２の非磁化常液体／気体を磁化するための磁化剤または磁気処理剤として第１の直接磁化液体／気体を使用する段階を含む、液体／気体の処理方法が提供される。
【００２４】
好ましくは、第２の非磁化常液体／気体を磁化するための磁化剤または磁気処理剤として第１の直接磁化液体／気体を使用する段階には、既定の混合比に従って、第１および第２の液体／気体を混合する段階が含まれる。
【００２５】
本発明のさらなる特徴および利点は、添付図面と組合せて考慮される以下の詳細な説明から明らかになる。
【図面の簡単な説明】
【００２６】
【図１】インライン前処理センサーおよび後処理センサー構成を用いた直接磁化液体／気体の生産プロセス例を示す。
【図２】インタンクセンサー構成を用いた直接磁化液体／気体の生産プロセス例を示す。
【図３】並流構成を用いた直接磁化液体／気体の生産プロセス例を示す。
【図４】単一サイクル構成を用いた直接磁化液体／気体の生産プロセス例を示す。
【図５】下部構成を用いた混合プロセス例を示す。
【図６】代替的下部構成を用いた混合プロセス例を示す。
【図７】上層構成を用いた混合プロセス例を示す。
【図８】代替的上層構成を用いた混合プロセス例を示す。
【図９】並流２タンク構成を用いた混合プロセス例を示す。
【図１０】並流１タンク構成を用いた混合プロセス例を示す。
【図１１】直列流１タンク構成を用いた混合プロセス例を示す。
【図１２】可変電磁場を生成するためのコイル機構例を示す。
【図１３】可変電磁場を生成するための永久磁石装置例を示す。
【図１４】永久磁石装置のための油圧回路例を示す。
【図１５】ステッピングモータを用いた永久磁石装置の磁石回転例を示す。
【図１６】永久磁石装置の磁場極性の手動反転例を示す。
【図１７】磁場効果の下で可能なパイプ構成例を示す。
【図１８】応用事例において使用される引力モードを用いた永久磁石装置の３次元磁束密度例を示す。
【図１９】応用事例において使用される斥力モードを用いた永久磁石装置の３次元磁束密度を示す。
【発明を実施するための形態】
【００２７】
本発明の第１の態様によると、一例として、常液体／気体が直接的磁場または電磁場を受けることなく磁気処理される、間接的な磁気液体／気体処理方法が提供される。
【００２８】
間接的磁気液体／気体処理方法は、以下の段階のうちの１つ以上または全てを含むことができる。
１．以下のことによって第１の直接磁化液体／気体を生産する段階。
ａ．以下の要件のうちの１つ以上または全てに従って、作動液体／気体に対して直接的磁場または電磁場を印加すること、
i.磁場の所定幾何形状（１次元、２次元次元磁場を印加することができる）、
ii.流束密度Ｂｘ、ＢｙおよびＢｚの所定値、
iii.引力形態または斥力形態のいずれかである磁場の性質（これは永久磁石の場合にのみ該当する）、
iv.角度が９０、０、１８０°または他の任意の所定角度とすることができる磁場と液体／気体流の間の所定角度、
v.作動液体／気体の所定温度、圧力および体積、
ｂ．所定循環時間中（図１〜４に示す通りの）選択された処理構成に従って、磁場または電磁場の効果の下で作動液体／気体を循環させること（循環プロセスは、少なくとも磁場または電磁場を横断した作動液体／気体の一回の通過であってよく、最長７日間に及ぶ可能性があると考えられる）、
２．（図５〜１１に示す通りの）選択された混合構成に従って、第１の直接磁化液体／気体の体積（Ｖｔ）と第２の非磁化常液体／気体（Ｖｎ）の体積の間の所定混合比で、第１の直接磁化液体／気体と第２の非磁化常液体／気体とを混合する段階。混合プロセスは以下の形態のうちの１つとすることができる。
ａ．混合容器内への一度に１タイプの流体の添加。このプロセスは、以下の構成の１つをとる可能性がある。
i.下部構成。図５に示す通り、混合容器の下部に第１の直接磁化液体／気体を添加し、次に上部に第２の非磁化常液体／気体を添加する。
ii.代替的下部構成。混合容器の下部に第１の直接磁化液体／気体を添加し、次に上部に第２の非磁化常液体／気体を添加する。その後、図６に示す通り、このプロセスを多数回繰り返す。
iii.上層構成。図７に示す通り、混合容器の下部に第２の非磁化常液体／気体を添加し、次に上部に第１の直接磁化液体／気体を添加する。
iv.代替的上層構成。混合容器の下部に第２の非磁化常液体／気体を添加し、次に上部に直接磁化液体／気体を添加する。次に、図８に示す通り、このプロセスを多数回繰り返す。
ｂ．並流２タンク構成。このシナリオでは、直接磁化液体／気体用の１つのタンク、非磁化常液体／気体用の第２のタンクおよび混合または間接磁化液体／気体用の第３のタンクがある。図９に示すように、第１および第２のタンク出力端には２つの比例弁が設置され、これらが、直接磁化液体／気体と非磁化常液体／気体との間の同時混合比を制御する。
ｃ．並流１タンク構成。このシナリオでは、非磁化常液体／気体用の１つのタンクと混合または間接磁化液体／気体用の第２のタンクがある。２つの出力パイプが、並行して第１のタンクから出ている。第１のパイプは、磁気処理ユニット内を通り、処理ユニットの出力（直接磁化液体／気体）は第２の混合タンク内で混合される。直接磁化液体／気体と非磁化常液体／気体の間の同時混合比を制御する２つの比例弁が、第１のタンク出力端に設置されている。実際には、これは、直接磁化されたまたは処理された液体／気体用の貯蔵タンクが無く、液体／気体が処理ユニットを通って瞬間的に処理された後に第２のタンク内で非磁化常液体／気体と混合される場合にあてはまる。図１０に示すように、磁気処理ユニット内の流れは処理中、そこから出てくる出力流とは異なる内部流量を有している可能性があることを指摘しておくべきである。
ｄ．直列流１タンク構成。ここでは、直接磁化液体／気体と非磁化常液体／気体の間の同時直列混合が実施される。このシナリオでは、直接磁化液体／気体用の１つのタンクと、非磁化常液体／気体用の第２のタンクと、混合または間接磁化液体／気体用の第３のタンクがある。非磁化常液体／気体は、比例弁により制御されるそのタンクから流出し、処理済みタンクの中を通過し、ここで処理済みタンクの出力流は利用分野において直ちに使用されるかまたは第３の混合済みタンク内に貯蔵され得る。この場合、図１１に示す通り処理済みタンクの体積と比例弁開口比が制御パラメータである。
３．混合または間接磁化液体／気体を適切な利用分野で使用する。この場合、２つのシナリオがある。第１のシナリオでは、混合または間接磁化液体／気体は後で使用するため混合タンク内に貯蔵され、一方第２のシナリオでは、混合または間接磁化液体／気体は混合タンク内に貯蔵されることなく利用分野において直ちに使用される。
【００２９】
以上で言及した処理プロセスは、一液体／気体依存性および利用分野依存性の以下の制御パラメータのうちの１つ以上または全てを有するということを指摘しておくべきである。すなわち、
１．直接磁化液体／気体の直接的な磁場または電磁場の処理パラメータ。
ａ．磁場の次元および幾何形状（１次元、２次元、３次元）、
ｂ．所与の次元に応じた所望の流束密度値（Ｂｘ、Ｂｙ、Ｂｚ）、
ｃ．引力形態または斥力形態（永久磁石装置の場合）のいずれかである磁場の性質、
ｄ．磁場と液体／気体の間の所定角度［なおここで角度は、９０°（直交方向）、０°（同一方向）、１８０°（反対方向）または任意の他の所定角度とすることができる］、
ｅ．直接磁化液体／気体の所定体積、
ｆ．直接磁化液体／気体の所定温度および圧力、
ｇ．場の効果の下での液体／気体の流量、
ｈ．液体／気体に対する磁場の所定印加時間または循環時間、
i.磁気処理下のパイプの幾何形状およびそれらの内部断面積。
２．混合プロセスパラメータ。
ａ．非磁化常液体／気体の体積、
ｂ．直接磁化液体／気体の体積、
ｃ．非磁化常液体／気体および直接磁化液体／気体の所定温度および圧力、
ｄ．比例弁により制御される２つの流体が使用される場合にはつねに、それらの間の混合比、
ｅ．非磁化常液体／気体および直接磁化液体／気体についての混合流量。
【００３０】
本発明の主要な特徴としては、以下のもののうちの１つ以上または全てが含まれる可能性がある。
１．非磁化常液体／気体用の磁化剤または磁気処理剤としての直接磁化または処理済液体／気体の使用。
２．非磁化常液体／気体のための処理方法としての直接磁化液体／気体内に保存された磁場の使用。
３．直接磁化液体／気体の調製における、一定の流束密度の１次元、２次元または３次元磁気幾何形状の使用。永久磁石装置の場合には、最高３次元の流束密度を、磁気装置間の距離、磁気装置の幾何形状および磁気装置間の引力または斥力に応じて生成することができる。
４．直接磁化液体／気体の調製における任意の磁気または電磁装置の使用。これには、使用される磁石のタイプ（Nd-Fe-Bまたは任意の他の磁気材料）、磁石の形状（矩形、円筒形または任意の他の形状）、使用される磁石の数、装置の３次元構成、および装置に関する他の関連パラメータが含まれる。
５．直接磁化液体／気体の調製における、数ガウスからテスラ範囲までの範囲内の流束密度（Ｂｘ、Ｂｙ、Ｂｚ）の使用。
６．直接磁化液体／気体の調製における永久磁石の場合の、引力形態または斥力形態のいずれかの磁場の使用。
７．電磁場装置の場合の電流制御システムは、可変抵抗器と直列のＤＣ電流源またはＤＣ電圧源とすることができる。ＡＣ源を使用する場合には、ＡＣをＤＣに変換した後に前述の２つシナリオの１つを適用するために変換器を使用することができる。
８．直接磁化液体／気体の温度、圧力および体積（レベル）は、直接磁化液体／気体の生成および混合プロセス中に調整され制御される。
９．非磁化常液体／気体および混合または間接磁化液体／気体の温度、圧力および体積（レベル）は、混合プロセス中および貯蔵段階において調整され制御される。
１０．図中のいずれかにおいて使用されている加熱または冷却要素は、所望通り正確に液体／気体の温度を制御する加熱および／または冷却システムを意味する。
１１．直接磁化液体／気体の調製中、磁場の効果の下で移動している液体／気体の流量を制御するために、作動液体／気体用の流れ制御システムを使用することができる。
１２．本発明の制御パラメータは全て、両方の処理段階（直接磁化液体／気体の生成と混合プロセス）において使用可能であるインラインセンサーのデータに従って、制御されてよい。これらのセンサーは液体／気体依存性でかつ利用分野依存性である。例えば、燃料処理の場合、我々は、液体／気体の物理的パラメータの変化を観察するためにインライン粘度および密度センサーを使用した。作動液体／気体が水である場合、インラインＰＨおよびＴＤＳセンサーまたは任意の他のセンサーを使用してよい。
１３．内部を液体／気体が流れているパイプの形状および磁場源に応じて磁場と液体／気体流の間の角度が９０、０、１８０°または他の角度とすることができる、この角度に関して最も一般的に使用されている動作モードの使用。
１４．直接磁化液体／気体の調製において磁場は、永久磁石装置（例えば非限定的に図１３〜１６）またはＤＣ電流がコイル内を通過している電磁場（例えば非限定的に図１２）を用いて生成されてよい。
１５．可変距離の永久磁石装置の場合、２つの磁石間の距離を制御する駆動機構は、油圧式、空気式、電気式アクチュエータまたは他の任意の考えられる機構とすることができる。
１６．磁場の効果の下で液体／気体が内部を流れるパイプの形状は、図１７に示すように、直線、垂直−水平、らせん３次元（バネ様）の形状または他の任意の形状とすることができる。
１７．直接磁化液体／気体調製中の磁場の効果の下にある液体／気体流は、垂直流の場合重力の影響を受けていてよく、あるいは水平流であってもよい。
１８．図１７に示す通り、磁場の効果の下にあるパイプの内部コアの断面として円形、方形または矩形断面を使用。
１９．液体／気体が磁場の効果の下で内部を流れるパイプの直径は、ミクロレベルまたはマクロレベルであるか、またはピコサイズからセンチメートルサイズまでの任意の値をとってよい。
２０．直接磁化液体／気体は、１回の循環時間（磁場内を１回通過）を用いて生成されるか、または一定の時間中連続して循環させられてもよい。
２１．直接磁化液体／気体と非磁化常液体／気体の間の混合比は一般に、作動液体／気体、作動液体／気体の動作温度および圧力、３次元空間内の流束密度、液体／気体流と印加される磁束の間の角度、循環時間および利用分野に左右される。
２２．直接磁化液体／気体および混合または間接磁化液体／気体は、後に使用するために貯蔵されている間、一定の期間中一定の圧力および温度に保たれてよい。このプロセスは、両方の液体／気体の磁気メモリを制御する。
２３．非磁化常液体／気体および直接磁化液体／気体は一般に、同じ化学的構造を有するが、一部の利用分野においては、これらは異なる化学的構造を有していてもよい。
２４．本発明の考えられる利用分野としては、液体／気体の直接的磁気処理の全ての従来の利用分野、例えば農業用水処理、スケーリング用水処理、塩分削減のための水処理、建設用水処理、燃料処理、ディーゼル燃料処理、ガソリン処理、ケロセン処理、燃料油処理、ジェット燃料処理そして他の全ての存在する磁気処理方法が含まれるが、これらに限定されない。
【００３１】
応用事例
本発明に係る方法および装置は、ディーゼル燃料の処理において応用された。この実施例では、各磁石について１５×１０×６ｃｍのサイズの矩形のNd-Fe-B磁石装置対が、図１３〜１６に示す磁気処理装置において使用された。図１８は、引力モードについて、磁石の中心点横断幅および長きにおける流束密度（Ｂｘ、Ｂｙ、Ｂｚ）を磁石間内部距離の一関数として示している。図１９は、斥力モードについて、磁石の中心点横断幅および長さでの流束密度（Ｂｘ、Ｂｙ、Ｂｚ）を磁石間の内部距離の一関数として示している。処理を目的として、磁石を引力モードで動作させ、２ｃｍの距離だけ離隔した。最初に、ディーゼル燃料を３６時間処理し、次にこの直接磁化されたディーゼル燃料を、さまざまな混合比に従って、通常ディーゼル燃料と混合した。混合されたまたは間接磁化されたディーゼル燃料の熱含有量および対応する粘度および密度の結果を表１に示す。混合比は体積比であり、合計試料体積は１リットルである。
【００３２】
応用事例についての以上の記述は、多くの特異点を含んでいるが、これらは、本発明の範囲を限定するものとみなされるべきではなく、単に本発明の現在好まれている実施形態にすぎない。従って、以上で記述された本発明の実施形態は、添付のクレームの範囲によってのみ限定される。
【表１】
0005992034.tif 000002
【図１】
0005992034.tif 000003
【図２】
0005992034.tif 000004
【図３】
0005992034.tif 000005
【図４】
0005992034.tif 000006
【図５】
0005992034.tif 000007
【図６】
0005992034.tif 000008
【図７】
0005992034.tif 000009
【図８】
0005992034.tif 000010
【図９】
0005992034.tif 000011
【図１０】
0005992034.tif 000012
【図１１】
0005992034.tif 000013
【図１２】
0005992034.tif 000014
【図１３】
0005992034.tif 000015
【図１４】
0005992034.tif 000016
【図１５】
0005992034.tif 000017
【図１６】
0005992034.tif 000018
【図１７】
0005992034.tif 000019
【図１８】
0005992034.tif 000020
【図１９】
0005992034.tif 000021